(57)【要約】【課題】一部を分離して内部に収容した商品を露出させる作業性がよい包装箱を提供する。【解決手段】側壁３Ａ，３Ｂおよび端壁４Ａ，４Ｂと、側壁３Ａ，３Ｂに連設した外フラップ６Ａ，６Ｂと、端壁４Ａ，４Ｂに連設した内フラップ８Ａ，８Ｂとを備え、少なくとも１つの側壁３Ｂに、連続する外フラップ６Ｂとの境界線と平行な横方向に延びる第１破断手段１３を設けるとともに、側壁３Ｂと連続する外フラップ６Ａ，６Ｂに横方向に延びる第２破断手段１４を設け、かつ、これら破断手段１３，１４にかけて縦方向に延びる第３破断手段１５を設け、これら第１から第３の破断手段１３〜１５により囲繞された内部を分離可能とし、外フラップ６Ａ，６Ｂと隣接する内フラップ８Ａ，８Ｂに、第２および第３の破断手段１４，１５と組立状態で略上下に一致する第４破断手段１６を設けた構成とする。【選択図】  図１
2005001685.tif 000002
【特許請求の範囲】
【請求項１】
四方を囲繞する一対の側壁および端壁と、前記側壁に連設した一対の外フラップと、前記端壁に連設した一対の内フラップとを備え、
少なくとも１つの側壁に、連続する外フラップとの境界線と平行な横方向に延びる第１破断手段を設けるとともに、該第１破断手段を設けた側壁と連続する外フラップに横方向に延びる第２破断手段を設け、かつ、これら破断手段にかけて縦方向に延びる第３破断手段を設け、これら第１から第３の破断手段により囲繞された内部を分離可能とし、
前記第２および第３の破断手段を設けた外フラップと隣接する一対の内フラップに、前記第２および第３の破断手段と組立状態で略上下に一致する第４破断手段を設けたことを特徴とする包装箱。
【発明の詳細な説明】
【０００１】
【発明の属する技術分野】
本発明は、商品の輸送に使用するとともに、店頭で一部を破断して内部に収容した商品を露出させて展示可能とした包装箱に関するものである。
【０００２】
【従来の技術】
本発明の包装箱に関連する先行技術文献情報としては次のものがある。
【０００３】
【特許文献１】
実開平２−１４８９２６号公報
【０００４】
この特許文献１の包装箱は、四方を囲繞する４つの壁面のうち、対向する一対の側壁に、横方向に延びる第１破断手段が設けられるとともに、該第１破断手段の両端から外フラップとの境界線にかけて延びる第２破断手段が設けられている。また、前記側壁と外フラップとの境界部分には、前記第２破断手段の上端から外向きに延びる第３破断手段が設けられ、前記第１および第２破断手段により囲繞された部分を外フラップと一緒に分離できるように構成している。また、この引用文献では、側壁の一部および外フラップを分離した状態で、上側に位置する内フラップが内部の商品を覆い隠すのを防止するために、第４破断手段が設けられ、一部を分離できるように構成している。
【０００５】
【発明が解決しようとする課題】
しかしながら、前記包装箱は、内フラップと外フラップとを貼着して閉塞する手段が制限されるため、利便性が悪いという不都合がある。即ち、前記内フラップは、一部を分離できるようにしているが、分離しない内フラップの残留部分と分離する外フラップとがホットメルトなどの接着剤によって貼着した場合、該外フラップの分離作業が非常に面倒になる。
【０００６】
そこで、本発明では、一部を分離して内部に収容した商品を露出させる作業性がよい包装箱を提供することを課題とするものである。
【０００７】
【課題を解決するための手段】
前記課題を解決するため、本発明の包装箱は、四方を囲繞する一対の側壁および端壁と、前記側壁に連設した一対の外フラップと、前記端壁に連設した一対の内フラップとを備え、少なくとも１つの側壁に、連続する外フラップとの境界線と平行な横方向に延びる第１破断手段を設けるとともに、該第１破断手段を設けた側壁と連続する外フラップに横方向に延びる第２破断手段を設け、かつ、これら破断手段にかけて縦方向に延びる第３破断手段を設け、これら第１から第３の破断手段により囲繞された内部を分離可能とし、前記第２および第３の破断手段を設けた外フラップと隣接する一対の内フラップに、前記第２および第３の破断手段と組立状態で略上下に一致する第４破断手段を設けた構成としている。
【０００８】
【発明の実施の形態】
以下、本発明の実施の形態を図面に従って説明する。
図１から図４は、本発明の実施形態に係る包装箱１を示す。この包装箱１は、四方を囲繞する一対の側壁３Ａ，３Ｂおよび端壁４Ａ，４Ｂと、前記側壁３Ａ，３Ｂの上下端縁に連設したそれぞれ一対の上側外フラップ６Ａ，６Ｂおよび下側外フラップ７Ａ，７Ｂと、前記端壁４Ａ，４Ｂの上下端縁に連設したそれぞれ一対の上側内フラップ８Ａ，８Ｂおよび下側内フラップ９Ａ，９Ｂとを備え、第１から第７の破断手段１３〜１９により、その一部を分離して内部に収容した商品を露出できるようにしたものである。
【０００９】
具体的には、この包装箱１は、表紙および裏紙の間に波状の中しんを配設した周知の段ボール紙によって形成されている。この段ボール紙には、製造時に裏紙の表面に中しんの延び方向と直交方向に延びる切離帯２が貼着されている。この切離帯２は、段ボール紙を中しんと直交する横方向に破断する第１および第５破断手段１３，１７を構成するもので、本実施形態では、一面に接着剤が塗布されたＰＰ製のテープが適用されている。
【００１０】
前記包装箱１は、周知の紙器打抜装置（図示せず）によって前記段ボール紙を切離帯２と一緒に図２に示す連続した一枚のブランクとして打ち抜き、所定部位を糊付けにより貼着して成形される。
【００１１】
この包装箱１のブランクは、図２に示すように、前記側壁３Ａ，３Ｂおよび端壁４Ａ，４Ｂが直線上に連続するように設けられている。これらのうち、一端の側壁３Ａの端縁には糊代部５が連設されている。また、側壁３Ａ，３Ｂの上下端縁には、前記上側外フラップ６Ａ，６Ｂおよび下側外フラップ７Ａ，７Ｂが連設されている。さらに、端壁４Ａ，４Ｂの上下端縁には、前記上側内フラップ８Ａ，８Ｂおよび下側内フラップ９Ａ，９Ｂが連設されている。
【００１２】
前記側壁３Ａと糊代部５との境界部分、および、各側壁３Ａ，３Ｂと端壁４Ａ，４Ｂとの境界部分には、それぞれ罫を入れて形成した第１折曲線１０が設けられている。また、側壁３Ａ，３Ｂと上側外フラップ６Ａ，６Ｂとの境界部分、および、側壁３Ａ，３Ｂと下側外フラップ７Ａ，７Ｂとの境界部分には、第２折曲線１１が設けられている。さらに、端壁４Ａ，４Ｂと上側内フラップ８Ａ，８Ｂとの境界部分、および、端壁４Ａ，４Ｂと下側内フラップ９Ａ，９Ｂとの境界部分には、第３折曲線１２が設けられている。
【００１３】
そして、本実施形態では、一方の側壁３Ｂに第１破断手段１３が設けられるとともに、該側壁３Ｂに連続する上側外フラップ６Ｂに第２破断手段１４が設けられ、これら破断手段１３，１４の両端間にかけて第３破断手段１５が更に設けられている。また、一対の上側内フラップ８Ａ，８Ｂには第４破断手段１６が設けられている。さらに、一対の端壁４Ａ，４Ｂには第５破断手段１７が設けられるとともに、これら端壁４Ａ，４Ｂと上側内フラップ８Ａ，８Ｂとの境界部分には第６破断手段１８が設けられ、これら破断手段１７，１８の両端間にかけて第７破断手段１９が更に設けられている。
【００１４】
なお、前記第１から第３の破断手段１３〜１５により囲繞された側壁３Ｂの内部および上側外フラップ６Ｂの内部は、第１分離部２０となる。また、前記第４破断手段１６と上側内フラップ８Ａ，８Ｂの縁とで囲繞された略正方形状部分は第２分離部２１となる。さらに、前記第５から第７の破断手段１７〜１９により囲繞された端壁４Ａ，４Ｂの内部は、第３分離部２２となる。
【００１５】
具体的には、前記第１破断手段１３は、側壁３Ｂの下部において、連続する上側外フラップ６Ｂとの境界線である第２折曲線１１と平行な横方向に延びるように配設された前記切離帯２により構成される。この第１破断手段１３には、その中央に破断始点となる略倒Ｈ字形状の第１切断部２３が切離帯２上に位置するように設けられている。また、側壁３Ｂの両端（第１折曲線１０）近傍には、破断終点となる略凹字形状の第２切断部２４が切離帯２上に位置するように設けられている。
【００１６】
前記第２破断手段１４は、前記第１破断手段１３と平行に延びるもので、所定間隔をもって直線上に延びる切断ライン２５と、該切断ライン２５の一端に設けたガイドライン２６とからなる所謂片ジッパーにより構成されている。前記ガイドライン２６は、分離される第１分離部２０内に向けて傾斜するように設けられている。
【００１７】
前記第３破断手段１５は、前記破断手段１３，１４の両端間にかけて縦方向に延びるもので、第２破断手段１４と同様の片ジッパーにより構成されている。この第３破断手段１５のガイドライン２６は、切断ライン２５の下端より第１分離部２０内に向けて傾斜するように設けられている。
【００１８】
前記第４破断手段１６は、組立状態で前記第２および第３の破断手段１４，１５に囲繞された第１分離部２０と重複する部分に上下に一致するように形成されるもので、略Ｌ字形状に屈曲させた片ジッパーにより構成されている。この第４破断手段１６のガイドライン２６は、分離される第２分離部２１内に向けて傾斜するように設けられている。
【００１９】
前記第５破断手段１７は、第１破断手段１３と同様に、端壁４Ａ，４Ｂの下部において、連続する上側内フラップ８Ａ，８Ｂとの境界線である第３折曲線１２と平行な横方向に延びるように配設された前記切離帯２により構成される。この第５破断手段１７には、その中央に破断始点となる略倒Ｈ字形状の第３切断部２７が切離帯２上に位置するように設けられている。また、端壁４Ａ，４Ｂにおいて、側壁３Ａと連続する側の端部近傍には、破断終点となる略凹字形状の第４切断部２８が切離帯２上に位置するように設けられている。さらに、端壁４Ａ，４Ｂにおいて、側壁３Ｂと連続する側の端部近傍には、破断終点となる直線状の第５切断部２９が切離帯２上に位置するように設けられている。
【００２０】
前記第６破断手段１８は、前記第５破断手段１７と平行に延びるもので、第２破断手段１４と同様の片ジッパーにより構成されている。この第６破断手段１８のガイドライン２６は、第３分離部２２内に向けて傾斜するように設けられている。
【００２１】
前記第７破断手段１９は、前記破断手段１７，１８の両端間にかけて縦方向に延びるもので、第３破断手段１５と同様の片ジッパーにより構成されている。この第７破断手段１９のガイドライン２６は、切断ライン２５の下端より第３分離部２２内に向けて傾斜するように設けられている。
【００２２】
前記構成の包装箱１は、糊代部５に酢酸ビニルエマルジョンなどの接着剤を塗布し、第１折曲線１０に沿って端壁４Ａに対して側壁３Ａを折り曲げるとともに、側壁３Ｂに対して端壁４Ｂを折り曲げ、該端壁４Ｂの縁に糊代部５を貼着した状態で所定のメーカに納品される。
【００２３】
そして、所定の商品を製造するメーカでは、まず、下側内フラップ９Ａ，９Ｂを端壁４Ａ，４Ｂに対して折り曲げた後、下側外フラップ７Ａ，７Ｂを側壁３Ａ，３Ｂに対して折り曲げ、重複した下側内フラップ９Ａ，９Ｂと、下側外フラップ７Ａ，７Ｂとをホットメルトなどによる糊付けで貼着する。
【００２４】
その後、包装箱１の開放した上側から製造した商品を収容させた後、前記と同様に、上側内フラップ８Ａ，８Ｂを折り曲げた後、上側外フラップ６Ａ，６Ｂを折り曲げて糊付けする。この際、上側外フラップ６Ａ，６Ｂと上側内フラップ８Ａ，８Ｂとを糊付けする部分は、上側内フラップ８Ａ，８Ｂにおける第２分離部２１を除く部分とすることが好ましい。しかし、必ずしも第２分離部２１を除く部分だけに制限する必要はなく、非常に制限がないものである。
【００２５】
一方、前記包装箱１に収容した商品を販売する販売店の店頭では、図１に示すように、包装箱１を積み上げ、その最上段の包装箱１の一部を開放状態として内部に収容した商品を展示する。
【００２６】
具体的には、展示状態での正面（本実施形態の場合には側壁３Ｂの側）を露出させる場合、まず、図３（Ａ）に示すように、側壁３Ｂの第１破断手段１３において、第１切断部２３の２つの端縁を切離帯２とともに把持し、それぞれ第２切断部２４の側に引っ張る。これにより、側壁３Ｂは、切離帯２によって裂かれるように破断される。なお、この破断は、両側の第２切断部２４に達すると停止する。
【００２７】
ついで、第１破断手段１３による破断により形成された空間部分に手を差し込み、第１分離部の縁を把持する。そして、図中、上向きに引き上げることにより、第３破断手段１５に沿って第２破断手段１４まで側壁３Ｂおよび上側外フラップ６Ｂを破断する。その後、第１分離部２０の右側縁を把持し、図中左向きに引っ張ることにより、第２破断手段１４に沿って上側外フラップ６Ｂを破断する。これにより、図３（Ｂ）に示すように、破断手段１３〜１５によって囲繞された第１分離部２０が分離される。
【００２８】
次に、露出した上側内フラップ８Ａ，８Ｂの先端縁を把持し、それぞれ第４破断手段１６に沿って上側内フラップ８Ａ，８Ｂを破断する。これにより、図１に示すように、上側内フラップ８Ａ，８Ｂによって覆い隠す部分を生じさせることなく、包装箱１内に収容した商品を正面から露出させることができる。
【００２９】
このように、本実施形態の包装箱１では、破断手段１３〜１６により第１分離部２０および第２分離部２１を簡単に分離して内部に収容した商品を露出させることができる。しかも、本実施形態では、第４破断手段１６を第２および第３破断手段１４，１５と一致するように設けているため、万が一、包装箱１の閉塞時に第２分離部２１の領域にも接着剤が塗布され、上側外フラップ６Ｂと貼着されている状況でも、第４破断手段１６により簡単に分離して同様の状態とすることができる。そのため、分離作業性を大幅に向上することができる。
【００３０】
一方、図１に示す展示状態で側面（本実施形態の場合には端壁４Ａ，４Ｂの側）を露出させる場合、まず、図４に示すように、端壁４Ａ，４Ｂの第５破断手段１７において、第３切断部２７の２つの縁を切離帯２とともに把持し、それぞれ第４および第５切断部２８，２９の側に引っ張る。これにより、端壁４Ａ，４Ｂは、側壁３Ｂと同様に、切離帯２によって裂かれるように破断される。
【００３１】
ついで、第５破断手段１７による破断により形成された空間部分に手を差し込み、第３分離部２２の縁を把持する。そして、図中、上向きに引き上げることにより、第７破断手段１９に沿って第６破断手段１８まで端壁４Ａ，４Ｂを破断する。その後、第３分離部２２の右側縁を把持し、図中左向きに引っ張ることにより、第６破断手段１８に沿って端壁４Ａ，４Ｂを破断する。これにより、図１に示すように、破断手段１７〜１９によって囲繞された第３分離部２２が分離される。
【００３２】
このように、本実施形態の包装箱１では、第１および第５破断手段１３，１７に切離帯２を使用しているため、包装箱１自身の剛性が低下することを最小限に抑えることができる。しかも、端壁４Ａ，４Ｂをも一部を露出できるようにしているため、販売促進効果を十分に得ることができる。
【００３３】
なお、本発明の包装箱１は、前記実施形態の構成に限定されるものではなく、種々の変更が可能である。
【００３４】
例えば、前記実施形態では、第２破断手段１４は、第１破断手段１３の全長と同一に形成したが、図５および図６に示すように、上側外フラップ６Ｂの両端間にかけて延びるように形成してもよい。また、第４破断手段１６は、上側内フラップ８Ａ，８Ｂにおける第１分離部２０の縁と上下に一致するようにＬ字形状に形成したが、略Ｔ字形状に形成してもよい。また、この第４破断手段１６は、必ずしも第２および第３破断手段１４，１５に上下に一致させる必要はなく、近傍に位置させればよい。言い換えれば、上下に略一致させればよい。
【００３５】
さらに、第１分離部２０は、一方の側壁３Ｂにのみ設けたが、他方の側壁３Ａにのみ設けてもよく、両方に設けてもよい。
【００３６】
【発明の効果】
以上の説明から明らかなように、本発明の包装箱では、第２および第３破断手段と略上下に一致するように第４破断手段を設けているため、万が一、包装箱の閉塞時に内フラップの分離部分に接着剤を塗布し、外フラップと貼着されても、第４破断手段により簡単に分離して確実に内部を露出することができる。そのため、分離作業性を大幅に向上することができる。
【図面の簡単な説明】
【図１】本発明の実施形態に係る包装箱を示す斜視図である。
【図２】図１の包装箱のブランクを示す平面図である。
【図３】（Ａ），（Ｂ）は包装箱の一部を分離する工程を示す斜視図である。
【図４】包装箱の他の部分を分離する工程を示す斜視図である。
【図５】第２実施形態の包装箱を示す斜視図である。
【図６】図５の包装箱のブランクを示す平面図である。
【符号の説明】
１…包装箱                      ２…切離帯
３Ａ，３Ｂ…側壁                ４Ａ，４Ｂ…端壁
６Ａ，６Ｂ…上側外フラップ      ８Ａ，８Ｂ…上側内フラップ
１３…第１破断手段              １４…第２破断手段
１５…第３破断手段              １６…第４破断手段
２０…第１分離部                ２１…第２分離部
【図１】
2005001685.tif 000003
【図２】
2005001685.tif 000004
【図３】
2005001685.tif 000005
【図４】
2005001685.tif 000006
【図５】
2005001685.tif 000007
【図６】
2005001685.tif 000008